(57)【特許請求の範囲】
【請求項１】
両側縁がサイドシルに接合され、車幅方向中央部に前後方向に延びるフロアトンネルが形成されたフロアパネルの下面に、断面形状ハット型のフロアサイドメンバが、前記フロアトンネルの両側方位置のそれぞれにおいて、その両側のフランジ部において接合されて配置され、フロアトンネルとフロアサイドメンバとの間、およびフロアサイドメンバとサイドシルとの間のそれぞれにおいて、一端がフロアサイドメンバに近接するビードが前記フロアパネルに形成され、フロアパネルのフロアサイドメンバ配設部分に、少なくともフロアサイドメンバの両側のフランジ部間にわたって延びかつフランジ部の外側縁の近傍で閉じるビードを、フロアサイドメンバの長手方向に適当間隔おきに形成したことを特徴とするパネルの補強構造。
【発明の詳細な説明】
【０００１】
【発明の属する技術分野】
本発明はパネルの補強構造に関し、特に自動車のフロアパネルの面剛性を高めて振動や騒音の防止を図ったパネルの補強構造に関するものである。
【０００２】
【従来の技術】
従来の自動車の車体フロア構造おいては、図３に示すように、フロアパネル２１の中央部に前後方向のフロアトンネル２２が形成され、このフロアトンネル２２の両側方下面に断面形状ハット型のフロアサイドメンバ２３が配置されてその両側のフランジ部２４がスポット溶接にて接合され、フロアパネル２１のその他の部分には適宜に補強用のビードが形成されていた。
【０００３】
ところが、フロアパネル２１のフロアサイドメンバ２３上に対向する部分がフロア面と面一の平面のままであると、その部分の面剛性が低く、上下方向の振動を発生するという問題があり、その対策として、図３に示すように、フロアパネル２１とフロアサイドメンバ２３の両側のフランジ部２４との接合部の内側に、フロアサイドメンバ２３の長手方向に沿って断面形状が低い台形状のビード２５を形成したものが知られている。
【０００４】
【発明が解決しようとする課題】
ところが、図３に示すような車体フロア構造でも、ビード２５の上面が比較的幅広で長く延びる平面状であるため、例えば２５０〜５００Ｈｚ程度の振動周波数帯域で、矢印２６で示す如く上下方向の振動が発生し、フロア面の振動や音の発生を確実に防止できないという問題があった。
【０００５】
なお、特開昭６３−４３８７４号公報や特開平５−２２１３４２号公報には、フロアパネルに車幅方向に延びる断面形状略台形状のビードをフロアサイドメンバと一部交叉させ、又は完全に横断させて形成したものが開示されているが、フロアサイドメンバの両側のフロアパネル面の振動や騒音の発生の防止を図ったものであり、そのビードは、断面幅のかなり大きなものを適当なピッチ間隔で配列しないと広いフロアの面剛性を高くできず、断面幅や配列ピッチが大きいと、上記のように平面状のビード上面やビード間のフロア面での振動や音の発生を防止できないという問題がある。
【０００６】
本発明は、上記従来の問題点に鑑み、パネルの面剛性を高めて振動や騒音の防止を図ったパネルの補強構造を提供することを目的とする。
【０００７】
【課題を解決するための手段】
本発明は、両側縁がサイドシルに接合され、車幅方向中央部に前後方向に延びるフロアトンネルが形成されたフロアパネルの下面に、断面形状ハット型のフロアサイドメンバが、前記フロアトンネルの両側方位置のそれぞれにおいて、その両側のフランジ部において接合されて配置され、フロアトンネルとフロアサイドメンバとの間、およびフロアサイドメンバとサイドシルとの間のそれぞれにおいて、一端がフロアサイドメンバに近接するビードが前記フロアパネルに形成され、フロアパネルのフロアサイドメンバ配設部分に、少なくともフロアサイドメンバの両側のフランジ部間にわたって延びかつフランジ部の外側縁の近傍で閉じるビードを、フロアサイドメンバの長手方向に適当間隔おきに形成したことを特徴とする。本発明によれば、フロアパネル面がフロアサイドメンバの略フランジ部間にわたる複数のビードにて分断されることによって面剛性が高くなり、面振動及びそれによる騒音の発生を防止することができる。
【０００８】
【０００９】
【００１０】
【００１１】
【００１２】
また本発明によれば、パネル面のフロアサイドメンバ配設部分がフランジ間にわたる複数のビードにて上記のように面剛性を高くできるとともに、フロアサイドメンバ配設部分の両側に一端がフロアサイドメンバに近接するビードが形成され、これらビードにて面剛性を高くできるため、フロアパネルの全面の面剛性を簡単なビードを形成するだけで高くでき、高い振動・騒音の防止効果を得ることができる。
【００１３】
【発明の実施の形態】
以下、本発明のパネルの補強構造を自動車のフロアパネルに適用した一実施形態について、図１、図２を参照して説明する。
【００１４】
図２において、１は自動車の前部のフロアパネルであり、車幅方向中央部に前後方向に延びる断面形状略台形状のフロアトンネル２が上方に突出して形成されている。フロアトンネル２から両側方に適当距離の位置のフロアパネル１の下面には、断面形状ハット型の補強部材としてのフロアサイドメンバ３が配設され、フロアパネル１の両側縁にはサイドシル（図示せず）に対する接合フランジ４が立ち上げ形成されている。
【００１５】
フロアパネル１の前後方向中間部の上部にはフロアトンネル２とサイドシル（図示せず）との間にわたって仮想線で示すフロアクロスメンバ５が配設され、このフロアクロスメンバ５から適当距離後方位置の外側位置には、フロントシート（図示せず）の後部外側の支持ブラケット（図示せず）を取付けるための取付座６が形成されている。なお、フロントシート（図示せず）の前部両側はフロアクロスメンバ５で支持され、後部内側の支持ブラケットはフロアトンネル２に取付けられる。また、フロアパネル１におけるフロントシートの後部位置、即ち取付座６の直ぐ後部位置には、それより前方の僅かに上方傾斜した部分と後方の水平な部分との間の折曲領域７が形成されている。
【００１６】
フロアパネル１におけるフロアトンネル２、フロアサイドメンバ３の配設部分、フロアクロスメンバ５の配設部分、取付座６、及び折曲領域７を除いた部分には、これらによって区画された領域のそれぞれにかなり大きな面積の略方形ないし長方形の３次曲面ビード８が形成されている。
【００１７】
フロアパネル１のフロアサイドメンバ３に対向する部分においては、図１に詳細に示すように、フロアサイドメンバ３の上端両側のフランジ部１０、１０間にわたって延びかつフランジ部１０の外側縁の近傍で閉じるビード１１がフロアサイドメンバ３の長手方向に適当間隔おきに形成されている。そのビード１１は、例えば細長い半楕円面などの３次曲面に形成されており、その両端は両側のフランジ部１０の外側縁より若干外側まで延出されている。そして、フロアパネル１とフロアサイドメンバ３のフランジ部１０とが、各ビード１１の両端部の両側位置でスポット溶接１２にて接合されている。
【００１８】
また、フロアクロスメンバ５の配置部分でも同様のビード１３が形成されており、さらに折曲領域７では車幅方向のビード１４が複数並列させて形成されている。
【００１９】
以上の構成によれば、フロアパネル１のフロアサイドメンバ３に対向する部分が、フロアサイドメンバ３のフランジ部１０、１０間にわたる剛性の高いビード１１にて分断されることにより面剛性が高くなり、面振動及びそれによる騒音の発生を防止することができる。
【００２０】
特に、本実施形態ではビード１１が３次曲面にて構成されているので、ビード１１の剛性が高く、さらに各ビード１１の両端が両側のフランジ部１０の外側縁の外側まで延出されているので、ビード１１の剛性がフランジ部１０との接合部まで高く維持され、一層高い振動・騒音の防止効果が得られる。さらに、各ビード１１の両端部の両側位置で、フロアパネル１をフロアサイドメンバ３のフランジ部１０に接合しているので、ビード１１とフロアサイドメンバ３のフランジ部１０がより高い剛性で接合固定され、高い振動・騒音の防止効果が得られる。
【００２１】
また、上記のようにフロアパネル１のフロアサイドメンバ３に対向する部分はフランジ部１０、１０間にわたるビード１１にて上記のように面剛性を高くできるとともに、フロアパネル１のフロアサイドメンバ３の側方部分には方形ないし長方形の比較的大きな面積の３次曲面ビード８を形成しているので、フロアパネル１のフロアサイドメンバ３の側方部分の面剛性も高く、ビード１１と３次曲面ビード８の組合せによって、フロアパネル１の全面の面剛性を簡単なビードを形成するだけで高くでき、高い振動・騒音の防止効果を得ることができる。
【００２２】
以上の説明では、３次曲面のビード１１をフランジ部１０の外側縁の外側まで延出するように形成した例を示したが、フランジ部１０の外側縁の近傍内側で閉じるように形成してもよい。
【００２３】
また、上記実施形態では、３次曲面のビード１１を形成した例を示したが、それに代えて、例えば端部を除いて断面円弧状などの２次曲面で、両端部はコーナー部がＲ曲面で接続された傾斜面や球面などでパネル面に接続されたビードなど、その他の形状のビードを適用してもよい。
【００２４】
さらに、上記実施形態では、パネル１に補強部材３の両側のフランジ部１０、１０間にわたって延びかつフランジ部１０の外側縁の近傍で閉じるビード１１を上方に突出させて形成した例を示したが、図１（ｂ）に仮想線で示すように、フランジ部１０、１０の間で下方に突出する３次曲面のビード１５を補強部材３の長手方向に適当間隔おきに形成してもよい。この場合にも、補強部材３に対向するパネル面の面剛性を３次曲面のビード１５により高くでき、面振動及びそれによる騒音の発生を防止することができる。
【００２５】
【００２６】
【発明の効果】
本発明によれば、フロアパネルのフロアサイドメンバ配設部分が、フロアサイドメンバのフランジ部間にわたる複数のビードにて分断されることによって面剛性が高くなり、面振動及びそれによる騒音の発生を防止することができ、フロアアスファルトシートを削減したり、廃止したりすることができ、重量及びコストを低減できる等の効果が得られる。
【００２７】
【００２８】
【００２９】
【００３０】
【００３１】
また本発明によれば、フロアサイドメンバ配設部分に設けたビードに加えフロアサイドメンバ配設部分の両側に設けたビードによって、フロアパネルの全面の面剛性を簡単なビードを形成するだけで高くでき、高い振動・騒音の防止効果を得ることができる。
【図面の簡単な説明】
【図１】本発明のパネルの補強構造を適用したフロアパネルを示し、（ａ）は要部の部分斜視図、（ｂ）は（ａ）のＡ−Ａ矢視断面図である。
【図２】同実施形態のフロアパネルの全体斜視図である。
【図３】従来例のフロアパネルの補強構造を示し、（ａ）は要部の部分斜視図、（ｂ）は（ａ）のＢ−Ｂ矢視断面図である。
【符号の説明】
１  フロアパネル
３  フロアサイドメンバ
８  ビード
１０  フランジ部
１１  ビード
１５  ビード
２２  フロアトンネル
【図１】
0003592135.tif 000002
【図２】
0003592135.tif 000003
【図３】
0003592135.tif 000004